(57)【要約】    【課題】  滑らかで良質な動画表示が得られるとともに、静止画を表示するときや動画表示の滑らかさよりも画面の明るさが優先されるようなときにおいても、光利用効率が大幅に低下しないプロジェクタを提供する。    【解決手段】  尾引き緩和モードが選択されたときに、液晶装置の画面書込み周波数に同期して液晶装置の画像形成領域におけるｙ軸方向に沿って走査するように回転する回転プリズム７７０と、照明装置からの照明光束を、画像形成領域におけるｘ軸方向については画像形成領域の全体を、ｙ軸方向については画像形成領域の一部を照明するような、ｙ軸方向に圧縮された断面形状に整形する遮光部材７１０とをさらに備え、遮光部材７１０は、尾引き緩和モードが選択されたときには照明装置１００と回転プリズム７７０との間に挿入され、通常モードが選択されたときには光路外へと離脱するように構成されていることを特徴とするプロジェクタ１０００。【選択図】  図１
2006301160.tif 000002
【特許請求の範囲】
【請求項１】
被照明領域側に照明光束を射出する照明装置と、
前記照明装置からの照明光束を画像情報に応じて変調する電気光学変調装置と、
前記電気光学変調装置により変調された照明光束を投写する投写光学系とを備えるプロジェクタにおいて、
前記電気光学変調装置の画像形成領域における一方方向及び他方方向のいずれの方向についても画像形成領域の全体を照明する通常モードと、前記電気光学変調装置の画像形成領域における一方方向については画像形成領域の全体を、他方方向については画像形成領域の一部を照明する尾引き緩和モードとの、いずれのモードで動作させるかを選択するモード選択装置と、
前記モード選択装置で尾引き緩和モードが選択されたときに、前記電気光学変調装置の画面書込み周波数に同期して前記電気光学変調装置の画像形成領域における前記他方方向に沿って走査するように回転し、前記モード選択装置で通常モードが選択されたときに、前記電気光学変調装置の画像形成領域の全体を照明する位置で停止する回転プリズムと、
前記照明装置からの照明光束を、前記電気光学変調装置の画像形成領域における一方方向については画像形成領域の全体を、他方方向については画像形成領域の一部を照明するような、前記他方方向に圧縮された断面形状に整形する遮光部材とをさらに備え、
前記遮光部材は、前記モード選択装置で尾引き緩和モードが選択されたときには前記照明装置と前記回転プリズムとの間に挿入され、前記モード選択装置で通常モードが選択されたときには光路外へと離脱するように構成されていることを特徴とするプロジェクタ。
【請求項２】
請求項１に記載のプロジェクタにおいて、
前記照明装置からの照明光束を、前記電気光学変調装置の画像形成領域における一方方向及び他方方向のいずれの方向についても画像形成領域の全体を照明するような断面形状に整形する第２の遮光部材をさらに備え、
前記第２の遮光部材は、前記モード選択装置で尾引き緩和モードが選択されたときには光路外へと離脱し、前記モード選択装置で通常モードが選択されたときには前記照明装置と前記回転プリズムとの間に挿入されるように構成されていることを特徴とするプロジェクタ。
【請求項３】
請求項２に記載のプロジェクタにおいて、
前記遮光部材と前記第２の遮光部材とが一体化されていることを特徴とするプロジェクタ。
【請求項４】
請求項１に記載のプロジェクタにおいて、
前記照明装置からの照明光束を、前記電気光学変調装置の画像形成領域における一方方向及び他方方向のいずれの方向についても画像形成領域の全体を照明するような断面形状に整形する第２の遮光部材をさらに備え、
前記第２の遮光部材は、前記モード選択装置で尾引き緩和モード及び通常モードのいずれのモードが選択された場合であっても、前記照明装置と前記回転プリズムとの間に配置されていることを特徴とするプロジェクタ。
【請求項５】
請求項１に記載のプロジェクタにおいて、
前記遮光部材に代えて、
前記照明装置と前記回転プリズムとの間に配置され、前記モード選択装置で尾引き緩和モードが選択されたときには、前記照明装置からの照明光束を、前記電気光学変調装置の画像形成領域における一方方向については画像形成領域の全体を、他方方向については画像形成領域の一部を照明するような、前記他方方向に圧縮された断面形状に整形し、前記モード選択装置で通常モードが選択されたときには、前記照明装置からの照明光束を、前記電気光学変調装置の画像形成領域における一方方向及び他方方向のいずれの方向についても画像形成領域の全体を照明するような断面形状に整形するように、開口部の形状が変化する第３の遮光部材を備えることを特徴とするプロジェクタ。
【請求項６】
請求項１〜５のいずれかに記載のプロジェクタにおいて、
前記回転プリズムは、前記モード選択装置で通常モードが選択されたときに、光入射面が照明光軸に垂直な状態で静止するように構成されていることを特徴とするプロジェクタ。
【請求項７】
請求項１〜６のいずれかに記載のプロジェクタにおいて、
前記電気光学変調装置として、複数の色光をそれぞれの色光に対応する画像情報に応じて変調する複数の電気光学変調装置をさらに備え、
前記回転プリズムと前記複数の電気光学変調装置との間に配置され、前記回転プリズムからの照明光束を複数の色光に分離して前記複数の電気光学変調装置に導くための色分離導光光学系と、
前記複数の電気光学変調装置で変調されたそれぞれの色光を合成するクロスダイクロイックプリズムとをさらに備えることを特徴とするプロジェクタ。
【発明の詳細な説明】
【技術分野】
【０００１】
本発明はプロジェクタに関する。
【背景技術】
【０００２】
従来のプロジェクタにおいては、電気光学変調装置として用いる液晶装置が、ホールド型の表示装置であるため、インパルス型の表示装置であるＣＲＴの場合とは異なり、いわゆる尾引き現象のために滑らかな動画表示が得られないという問題点がある（この尾引き現象については、例えば、非特許文献１参照。）。
【０００３】
従来の他のプロジェクタにおいては、電気光学変調装置として用いる液晶装置の光入射側に光シャッタを配置し、これらの光シャッタにより間欠的に光を遮断するようにして、上記した問題を解決している。すなわち、いわゆる尾引き現象を緩和して滑らかで良質な動画表示が得られるようにしている（例えば、特許文献１参照。）。
【非特許文献１】「ホールド型ディスプレイにおける動画表示の画質」（電子情報通信学会技報、ＥＩＤ９９−１０、第５５〜６０頁（１９９９−０６））
【特許文献１】特開２００２−１４８７１２号公報（図１〜図７）
【発明の開示】
【発明が解決しようとする課題】
【０００４】
しかしながら、このような従来の他のプロジェクタにおいては、光シャッタにより間欠的に光を遮断するようにしているため、滑らかで良質な動画表示が得られるようにしたときはもちろん、静止画を表示するときや動画表示の滑らかさよりも画面の明るさが優先されるようなときにおいても、常に光利用効率が大幅に低下するという問題があった。
【０００５】
本発明は、このような問題を解決するためになされたもので、滑らかで良質な動画表示が得られるとともに、静止画を表示するときや動画表示の滑らかさよりも画面の明るさが優先されるようなときにおいても、光利用効率が大幅に低下しないプロジェクタを提供すること目的とする。
【課題を解決するための手段】
【０００６】
本発明のプロジェクタは、被照明領域側に照明光束を射出する照明装置と、前記照明装置からの照明光束を画像情報に応じて変調する電気光学変調装置と、前記電気光学変調装置により変調された照明光束を投写する投写光学系とを備えるプロジェクタにおいて、前記電気光学変調装置の画像形成領域における一方方向及び他方方向のいずれの方向についても画像形成領域の全体を照明する通常モードと、前記電気光学変調装置の画像形成領域における一方方向については画像形成領域の全体を、他方方向については画像形成領域の一部を照明する尾引き緩和モードとの、いずれのモードで動作させるかを選択するモード選択装置と、前記モード選択装置で尾引き緩和モードが選択されたときに、前記電気光学変調装置の画面書込み周波数に同期して前記電気光学変調装置の画像形成領域における前記他方方向に沿って走査するように回転し、前記モード選択装置で通常モードが選択されたときに、前記電気光学変調装置の画像形成領域の全体を照明する位置で停止する回転プリズムと、前記照明装置からの照明光束を、前記電気光学変調装置の画像形成領域における一方方向については画像形成領域の全体を、他方方向については画像形成領域の一部を照明するような、前記他方方向に圧縮された断面形状に整形する遮光部材とをさらに備え、前記遮光部材は、前記モード選択装置で尾引き緩和モードが選択されたときには前記照明装置と前記回転プリズムとの間に挿入され、前記モード選択装置で通常モードが選択されたときには光路外へと離脱するように構成されていることを特徴とする。
【０００７】
本発明のプロジェクタにおいては、モード選択装置で尾引き緩和モードが選択されたときには、照明光束の光路に遮光部材が挿入されるとともに、回転プリズムが所定の動作をするようになる。このため、本発明のプロジェクタによれば、電気光学変調装置の画像形成領域における一方方向については画像形成領域の全体を、他方方向については画像形成領域の一部を照明するような断面形状（すなわち他方方向に圧縮された断面形状）を有する照明光束を、電気光学変調装置の画面書込み周波数に同期して画像形成領域上で他方方向に沿って走査することができるようになるため、電気光学変調装置の画像形成領域においては光照射領域と光非照射領域とが順次交互にスクロールされるようになる。その結果、尾引き現象が緩和され、滑らかで良質な動画表示が得られるプロジェクタとなる。
【０００８】
また、静止画を表示するときや動画表示の滑らかさよりも画面の明るさが優先されるようなとき、すなわちモード選択装置で通常モードが選択されたときには、遮光部材を光路外へと離脱させることにより、光利用効率を大幅に低下させずに明るい表示画面を得ることができる。
【０００９】
このため、本発明のプロジェクタは、滑らかで良質な動画表示が得られるとともに、静止画を表示するときや動画表示の滑らかさよりも画面の明るさが優先されるようなときにおいても、光利用効率が大幅に低下しないプロジェクタとなり、本発明の目的が達成される。
【００１０】
本発明のプロジェクタにおいては、前記照明装置からの照明光束を、前記電気光学変調装置の画像形成領域における一方方向及び他方方向のいずれの方向についても画像形成領域の全体を照明するような断面形状に整形する第２の遮光部材をさらに備え、前記第２の遮光部材は、前記モード選択装置で尾引き緩和モードが選択されたときには光路外へと離脱し、前記モード選択装置で通常モードが選択されたときには前記照明装置と前記回転プリズムとの間に挿入されるように構成されていることが好ましい。
【００１１】
例えばアーク長の比較的長い発光管（１．３ｍｍ以上）を用いた場合、モード選択装置で通常モードが選択されたときの照明装置からの照明光束は、電気光学変調装置の画像形成領域における一方方向及び他方方向のいずれの方向についても画像形成領域の全体を照明するような断面形状を有する理想的な照明光束とはならず、実際には画像形成領域の周囲にもうっすらと光が照射されてしまうような照明光束となってしまう。このような画像形成領域の周囲に照射される光によって、電気光学変調装置において不要な熱を発生させてしまったり迷光を発生させてしまったりする場合がある。
しかしながら、上記のように構成することにより、第２の遮光部材の機能によって、モード選択装置で通常モードが選択されたときには、照明装置からの照明光束を、電気光学変調装置の画像形成領域における一方方向及び他方方向のいずれの方向についても画像形成領域の全体を照明するような断面形状に整形することが可能となるため、画像形成領域の周囲に照射される光の発生を抑制することができ、電気光学変調装置において不要な熱を発生させてしまったり迷光を発生させてしまったりすることがなくなる。
【００１２】
本発明のプロジェクタにおいては、前記遮光部材と前記第２の遮光部材とが一体化されていることが好ましい。
【００１３】
このように構成することにより、遮光部材及び第２の遮光部材をそれぞれ挿入・離脱するための装置が１つで済むため、省スペース化が図れて装置の小型化を達成することができる。
【００１４】
本発明のプロジェクタにおいては、前記照明装置からの照明光束を、前記電気光学変調装置の画像形成領域における一方方向及び他方方向のいずれの方向についても画像形成領域の全体を照明するような断面形状に整形する第２の遮光部材をさらに備え、前記第２の遮光部材は、前記モード選択装置で尾引き緩和モード及び通常モードのいずれのモードが選択された場合であっても、前記照明装置と前記回転プリズムとの間に配置されていることも好ましい。
【００１５】
このように構成することによっても、第２の遮光部材の機能によって、モード選択装置で通常モードが選択されたときには、照明装置からの照明光束を、電気光学変調装置の画像形成領域における一方方向及び他方方向のいずれの方向についても画像形成領域の全体を照明するような断面形状に整形することが可能となるため、画像形成領域の周囲に照射される光の発生を抑制することができ、電気光学変調装置において不要な熱を発生させてしまったり迷光を発生させてしまったりすることがなくなる。
また、第２の遮光部材が、モード選択装置で尾引き緩和モードが選択されたときには光路外へと離脱し、モード選択装置で通常モードが選択されたときには照明装置と回転プリズムとの間に挿入されるように構成した場合と比較して、第２の遮光部材を離脱させるための複雑な機構が不要であるため、製造コストの低廉化を図ることができるとともに、省スペース化が図れて装置の小型化を達成することができる。
【００１６】
この場合、前記第２の遮光部材は、前記遮光部材の光整形機能を妨げないような位置に配置されることが好ましい。
【００１７】
本発明のプロジェクタにおいては、前記遮光部材に代えて、前記照明装置と前記回転プリズムとの間に配置され、前記モード選択装置で尾引き緩和モードが選択されたときには、前記照明装置からの照明光束を、前記電気光学変調装置の画像形成領域における一方方向については画像形成領域の全体を、他方方向については画像形成領域の一部を照明するような、前記他方方向に圧縮された断面形状に整形し、前記モード選択装置で通常モードが選択されたときには、前記照明装置からの照明光束を、前記電気光学変調装置の画像形成領域における一方方向及び他方方向のいずれの方向についても画像形成領域の全体を照明するような断面形状に整形するように、開口部の形状が変化する第３の遮光部材を備えることもまた好ましい。
【００１８】
本発明のプロジェクタによれば、モード選択装置で尾引き緩和モードが選択されたときには、第３の遮光部材における開口部の形状を、電気光学変調装置の画像形成領域における一方方向については画像形成領域の全体を、他方方向については画像形成領域の一部を照明するような断面形状（すなわち他方方向に圧縮された断面形状）に整形するような形状に変化させるとともに、回転プリズムに所定の動作をさせることにより、他方方向に圧縮された断面形状を有する照明光束を電気光学変調装置の画面書込み周波数に同期して画像形成領域上で他方方向に沿って走査することができるようになる。このため、電気光学変調装置の画像形成領域においては光照射領域と光非照射領域とが順次交互にスクロールされるようになる。その結果、尾引き現象が緩和され、滑らかで良質な動画表示が得られるプロジェクタとなる。
【００１９】
また、モード選択装置で通常モードが選択されたとき、すなわち静止画を表示するときや動画表示の滑らかさよりも画面の明るさが優先されるようなときには、第３の遮光部材における開口部の形状を、電気光学変調装置の画像形成領域における一方方向及び他方方向のいずれの方向についても画像形成領域の全体を照明するような断面形状に整形するように変化させることにより、光利用効率を大幅に低下させずに明るい表示画面を得ることができる。
【００２０】
このため、本発明のプロジェクタは、滑らかで良質な動画表示が得られるとともに、静止画を表示するときや動画表示の滑らかさよりも画面の明るさが優先されるようなときにおいても、光利用効率が大幅に低下しないプロジェクタとなる。
【００２１】
本発明のプロジェクタにおいては、前記回転プリズムは、前記モード選択装置で通常モードが選択されたときに、光入射面が照明光軸に垂直な状態で静止するように構成されていることが好ましい。
【００２２】
このように構成することにより、静止画を表示するときや動画表示の滑らかさよりも画面の明るさが優先されるようなときには、電気光学変調装置における画像形成領域の全面に照明光束を照射するとともに、回転プリズムの光入射面が照明光軸に垂直な状態で静止させることにより、その光入射面で照明光束が不要な屈折を起こさなくなるため、迷光の発生を抑制し光利用効率を向上することができる。
また、照明装置と電気光学変調装置との間から回転プリズムを離脱させるように構成した場合と比較して、回転プリズムを離脱させるための複雑な機構が不要であるため、製造コストの低廉化を図ることができるとともに、省スペース化が図れて装置の小型化を達成することができる。
【００２３】
本発明のプロジェクタにおいては、前記電気光学変調装置として、複数の色光をそれぞれの色光に対応する画像情報に応じて変調する複数の電気光学変調装置をさらに備え、前記回転プリズムと前記複数の電気光学変調装置との間に配置され、前記回転プリズムからの照明光束を複数の色光に分離して前記複数の電気光学変調装置に導くための色分離導光光学系と、前記複数の電気光学変調装置で変調されたそれぞれの色光を合成するクロスダイクロイックプリズムとをさらに備えることが好ましい。
【００２４】
このように構成することにより、滑らかで良質な動画表示が得られるとともに、静止画を表示するときや動画表示の滑らかさよりも画面の明るさが優先されるようなときにおいても、光利用効率が大幅に低下しないプロジェクタを、画像品質の優れた（例えば３板式の）フルカラープロジェクタとすることができるようになる。
また、本発明のプロジェクタによれば、上記のような効果を奏する遮光部材を、照明光束が色分離される前の、照明装置と回転プリズムとの間に配置することとしている。このため、電気光学変調装置が複数存在するにもかかわらず１つの遮光部材（及び１つの回転プリズム）しか必要としないため、プロジェクタの大型化を極力抑制することができるようになる。
【発明を実施するための最良の形態】
【００２５】
以下、本発明のプロジェクタについて、図に示す実施の形態に基づいて説明する。
【００２６】
〔実施形態１〕
図１及び図２は、実施形態１に係るプロジェクタ１０００を説明するために示す図である。図１（ａ）は尾引き緩和モードにおけるプロジェクタ１０００の光学系を上面から見た図であり、図１（ｂ）は尾引き緩和モードにおけるプロジェクタ１０００の光学系を側面から見た図であり、図１（ｃ）は第１レンズアレイ１２０の正面図であり、図１（ｄ）は遮光部材７１０上における照明状態を示す図であり、図１（ｅ）は尾引き緩和モードが選択されたときの液晶装置４００Ｒ上における照明状態を示す図である。
図２（ａ）は通常モードにおけるプロジェクタ１０００の光学系を上面から見た図であり、図２（ｂ）は通常モードにおけるプロジェクタ１０００の光学系を側面から見た図であり、図２（ｃ）は第２の遮光部材７２０上における照明状態を示す図であり、図２（ｄ）は通常モードが選択されたときの液晶装置４００Ｒ上における照明状態を示す図である。
【００２７】
なお、以下の説明においては、互いに直交する３つの方向をそれぞれｚ軸方向（図１（ａ）における照明光軸１００ａｘ方向）、ｘ軸方向（図１（ａ）における紙面に平行かつｚ軸に直交する方向）及びｙ軸方向（図１（ａ）における紙面に垂直かつｚ軸に直交する方向）とする。
【００２８】
実施形態１に係るプロジェクタ１０００は、図１及び図２に示すように、照明装置１００と、照明装置１００からの照明光束を赤色光、緑色光及び青色光の３つの色光に分離して被照明領域に導光する色分離導光光学系２００と、色分離導光光学系２００で分離された３つの色光のそれぞれを画像情報に応じて変調する電気光学変調装置としての３つの液晶装置４００Ｒ，４００Ｇ，４００Ｂと、これら３つの液晶装置４００Ｒ，４００Ｇ，４００Ｂによって変調された色光を合成するクロスダイクロイックプリズム５００と、クロスダイクロイックプリズム５００によって合成された光をスクリーンＳＣＲ等の投写面に投写する投写光学系６００とを備えたプロジェクタである。
【００２９】
照明装置１００は、被照明領域側に略平行な照明光束を射出する光源装置１１０と、光源装置１１０から射出される照明光束を複数の部分光束に分割するための複数の第１小レンズ１２２を有する第１レンズアレイ１２０と、第１レンズアレイ１２０の複数の第１小レンズ１２２に対応する複数の第２小レンズ１３２（図示せず。）を有する第２レンズアレイ１３０と、光源装置１１０から射出される偏光方向の揃っていない照明光束を略１種類の直線偏光に揃える偏光変換素子１４０と、偏光変換素子１４０から射出される各部分光束を被照明領域で重畳させるための重畳レンズ１５０とを有している。
【００３０】
光源装置１１０は、楕円面リフレクタ１１４と、楕円面リフレクタ１１４の第１焦点近傍に発光中心を有する発光管１１２と、楕円面リフレクタ１１４で反射される集束光を略平行な光に変換する平行化レンズ１１８とを有している。発光管１１２には、発光管１１２から被照明領域側に射出される光を発光管１１２に向けて反射する反射手段としての補助ミラー１１６が設けられている。
【００３１】
発光管１１２は、管球部と、管球部の両側に延びる一対の封止部とを有している。
楕円面リフレクタ１１４は、発光管１１２の一方の封止部に挿通・固着される筒状の首状部と、発光管１１２から放射された光を第２焦点位置に向けて反射する反射凹面とを有している。
【００３２】
補助ミラー１１６は、発光管１１２の管球部の略半分を覆い、楕円面リフレクタ１１４の反射凹面と対向して配置される反射部材であり、発光管１１２の他方の封止部に挿通・固着されている。
このような補助ミラー１１６を用いることにより、発光管１１２から楕円面リフレクタ１１４とは反対側（被照明領域側）に向かって放射される光が、補助ミラー１１６によって楕円面リフレクタ１１４に向けて反射され、さらに楕円面リフレクタ１１４の反射凹面で反射されて第２焦点位置に集束されることとなり、発光管１１２から楕円面リフレクタ１１４に向かって直接放射される光と同様に、楕円面リフレクタ１１４の第２焦点位置に集束させることができる。
【００３３】
平行化レンズ１１８は、凹レンズからなり、楕円面リフレクタ１１４の被照明領域側に配置されている。そして、楕円面リフレクタ１１４からの光を略平行化するように構成されている。
【００３４】
第１レンズアレイ１２０は、平行化レンズ１１８からの光を複数の部分光束に分割する光束分割光学素子としての機能を有し、照明光軸１００ａｘと直交する面内にマトリクス状に配列される複数の第１小レンズ１２２を備えた構成を有している。第１小レンズ１２２は、図１（ｃ）に示すように、横方向に４列、縦方向に７行に配置され、液晶装置４００Ｒ，４００Ｇ，４００Ｂの画像形成領域Ｓに相似する平面形状、すなわち「ｙ軸方向に沿った縦寸法：ｘ軸方向に沿った横寸法＝９：１６の長方形」の平面形状を有している。
【００３５】
第２レンズアレイ１３０は、上述した第１レンズアレイ１２０により分割された複数の部分光束を集光する光学素子であり、第１レンズアレイ１２０と同様に照明光軸１００ａｘに直交する面内にマトリクス状に配列される複数の第２小レンズ１３２（図示せず。）を備えた構成を有している。
【００３６】
偏光変換素子１４０は、第１レンズアレイ１２０により分割された各部分光束の偏光方向を、偏光方向の揃った略１種類の直線偏光光として射出する偏光変換素子である。
偏光変換素子１４０は、図示を省略したが、光源装置１１０からの照明光束に含まれる偏光成分のうち一方の直線偏光成分をそのまま透過し、他方の直線偏光成分を照明光軸１００ａｘに垂直な方向に反射する偏光分離層と、偏光分離層で反射された他方の直線偏光成分を照明光軸１００ａｘに平行な方向に反射する反射層と、反射層で反射された他方の直線偏光成分を一方の直線偏光成分に変換する位相差板とを有している。
【００３７】
重畳レンズ１５０は、第１レンズアレイ１２０、第２レンズアレイ１３０及び偏光変換素子１４０を経た複数の部分光束を集光して液晶装置４００Ｒ，４００Ｇ，４００Ｂの画像形成領域Ｓ上に重畳させる光学素子である。
【００３８】
照明装置１００と色分離導光光学系２００との間には、遮光装置７００が配置されている。遮光装置７００は、遮光部材７１０及び第２の遮光部材７２０を有している。なお、遮光部材７１０及び第２の遮光部材７２０についての詳細は後述する。
【００３９】
照明装置１００から射出された照明光束は、回転プリズム７７０に入射する。回転プリズム７７０は、照明装置１００と液晶装置４００Ｒ，４００Ｇ，４００Ｂとの間に配置され、液晶装置４００Ｒ，４００Ｇ，４００Ｂの画面書込み周波数に同期して画像形成領域上で縦方向（ｙ軸方向）に沿って照明光束を走査する機能を有している。回転プリズム７７０の前後に配置されたフィールドレンズ７９０，７９２は、後述するリレーレンズ２４０，２４２に対して有効に光を入射させるために設けられている。
なお、回転プリズム７７０についての詳細は後述する。
【００４０】
色分離導光光学系２００は、図１（ａ）及び図２（ａ）に示すように、ダイクロイックミラー２１０，２１４と、反射ミラー２１２，２１６，２１８，２２０と、リレーレンズ２４０，２４２とを有している。色分離導光光学系２００は、回転プリズム７７０から射出される照明光束を赤色光、緑色光及び青色光の３つの色光に分離して、それぞれの色光を照明対象となる液晶装置４００Ｒ，４００Ｇ，４００Ｂに導く機能を有している。色分離導光光学系２００としては、照明装置１００から液晶装置４００Ｒ，４００Ｇ，４００Ｂまでの光路長が等しい等光路光学系を用いている。
【００４１】
ダイクロイックミラー２１０は、回転プリズム７７０から射出される光のうち赤色光成分と緑色光成分とを透過させるとともに、青色光成分を反射する。ダイクロイックミラー２１０で反射された青色光成分は、反射ミラー２１８で反射され、リレーレンズ２４２を経て、反射ミラー２２０，２２２で反射された後、フィールドレンズ２４８を通過して青色光用の液晶装置４００Ｂに達する。一方ダイクロイックミラー２１０を透過した赤色光成分及び緑色光成分は、反射ミラー２１２で反射され、リレーレンズ２４０を通過する。ここで、リレーレンズ２４０から射出された赤色光成分及び緑色光成分のうち赤色光成分は、ダイクロイックミラー２１４を透過して、さらに反射ミラー２１６で反射されて、フィールドレンズ２４４を通過して赤色光用の液晶装置４００Ｒに達する。また、ダイクロイックミラー２１４で反射された緑色光成分は、さらに反射ミラー２１８で反射されて、フィールドレンズ２４６を通過して緑色光用の液晶装置４００Ｇに達する。なお、液晶装置４００Ｒ，４００Ｇ，４００Ｂの各色光の光路前段に設けられたフィールドレンズ２４４，２４６，２４８は、第２レンズアレイ１３０から射出された各部分光束を各主光線に対して略平行な光束に変換するために設けられている。
【００４２】
液晶装置４００Ｒ，４００Ｇ，４００Ｂは、照明光束を画像情報に応じて変調してカラー画像を形成するものであり、照明装置１００の照明対象となる。なお、図示を省略したが、フィールドレンズ２４４，２４６，２４８と各液晶装置４００Ｒ，４００Ｇ，４００Ｂとの間には、それぞれ入射側偏光板が介在配置され、各液晶装置４００Ｒ，４００Ｇ，４００Ｂとクロスダイクロイックプリズム５００との間には、それぞれ射出側偏光板が介在配置されている。これら入射側偏光板、液晶装置４００Ｒ，４００Ｇ，４００Ｂ及び射出側偏光板によって、入射する各色光の光変調が行われる。
液晶装置４００Ｒ，４００Ｇ，４００Ｂは、一対の透明なガラス基板に電気光学物質である液晶を封入したものであり、例えば、ポリシリコンＴＦＴをスイッチング素子として、与えられた画像信号に従って、入射側偏光板から射出された１種類の直線偏光の偏光方向を変調する。
液晶装置４００Ｒ,４００Ｇ,４００Ｂとしては、図１（ｅ）及び図２（ｄ）に示すように、画像形成領域Ｓが「ｙ軸方向に沿った縦寸法：ｘ軸方向に沿った横寸法＝９：１６の長方形」の平面形状を有するワイドビジョン用の液晶装置を用いている。
【００４３】
クロスダイクロイックプリズム５００は、射出側偏光板から射出された各色光ごとに変調された光学像を合成して、カラー画像を形成する光学素子である。このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光及び青色光は曲折され、緑色光の進行方向と揃えられることにより、３つの色光が合成される。
クロスダイクロイックプリズム５００から射出されたカラー画像は、投写光学系６００によって拡大投写され、スクリーンＳＣＲ上で大画面画像を形成する。
【００４４】
実施形態１に係るプロジェクタ１０００は、モード選択装置、遮光部材７１０及び回転プリズム７７０を備えたことを特徴としている。以下、詳細に説明する。
【００４５】
実施形態１に係るプロジェクタ１０００においては、プロジェクタを通常モード及び尾引き緩和モードのいずれのモードで動作させるかを選択するモード選択装置（図示せず。）を備えている。
【００４６】
このため、実施形態１に係るプロジェクタ１０００によれば、静止画を表示するときや動画表示の滑らかさよりも画面の明るさが優先されるような場合には通常モードを選択し、動きの激しい画面を表示するときや動画表示の滑らかさが要求されるような場合には尾引き緩和モードを選択することができ、表示しようとするコンテンツによって最適なモードでの表示を行うことができるようになる。
【００４７】
モード選択装置は、使用者の操作によって、プロジェクタを通常モード及び尾引き緩和モードのいずれのモードで動作させるかを選択するものであってもよいし、表示しようとするコンテンツの内容を検出するとともに、検出されたコンテンツの内容に基づいてプロジェクタを通常モード及び尾引き緩和モードのいずれのモードで動作させるかを自動的に選択するものであってもよい。
【００４８】
また、実施形態１に係るプロジェクタ１０００においては、遮光部材７１０をさらに備えている。
【００４９】
遮光部材７１０は、図１（ｄ）に示すように、不透明基材に「ｙ軸方向に沿った縦寸法：ｘ軸方向に沿った横寸法＝９：３２の長方形」の平面形状を有する開口部７１２を設けることにより形成されている。不透明基材としては、例えばアルミニウム合金からなる金属を好適に用いることができる。これにより、比較的簡単な方法で遮光部材７１０を製造することが可能となる。また、光が遮光部材７１０の光透過領域を通過するときには空気層を通過することになるため、光透過率が向上して光利用効率の低下をさらに抑制することができるとともに、迷光レベルがさらに低減しコントラストがさらに向上する。
【００５０】
遮光部材７１０は、照明装置１００からの照明光束を、液晶装置４００Ｒ，４００Ｇ，４００Ｂの画像形成領域Ｓにおけるｘ軸方向については画像形成領域Ｓの全体を、ｙ軸方向については画像形成領域Ｓの一部を照明するような、ｙ軸方向に圧縮された断面形状に整形する機能を有している。そして、遮光部材７１０は、図１（ｂ）に示すように、モード選択装置で尾引き緩和モードが選択されたときには照明装置１００と回転プリズム７７０との間の、液晶装置４００Ｒ，４００Ｇ，４００Ｂの画像形成領域Ｓと光学的に略共役な位置に挿入され、図２（ｂ）に示すように、モード選択装置で通常モードが選択されたときには光路外へと離脱するように構成されている。
【００５１】
実施形態１に係るプロジェクタ１０００においては、回転プリズム７７０をさらに備えている。
【００５２】
図３は、回転プリズム７７０の回転と液晶装置４００Ｒ，４００Ｇ，４００Ｂ上の照明状態との関係を示す図である。図３（ａ）は回転プリズム７７０を回転軸７７２に沿って見たときの断面図であり、図３（ｂ）は回転プリズム７７０を照明光軸１００ａｘに沿って見たときの図であり、図３（ｃ）は液晶装置４００Ｒ，４００Ｇ，４００Ｂの画像形成領域Ｓ上における照明光束Ｌの照明状態を示す図である。
【００５３】
回転プリズム７７０は、モード選択装置で尾引き緩和モードが選択されたときに、液晶装置４００Ｒ，４００Ｇ，４００Ｂの画面書込み周波数に同期して液晶装置４００Ｒ，４００Ｇ，４００Ｂの画像形成領域Ｓにおけるｙ軸方向に沿って走査する機能を有している。このため、照明光軸１００ａｘ上における第１小レンズ１２２の仮想中心点の像Ｐから射出される光は、図３（ａ）〜図３（ｃ）に示すように、回転プリズム７７０が回転すると、回転プリズム７７０の光透過面によって所定の屈折を受ける。その結果、液晶装置４００Ｒ，４００Ｇ，４００Ｂの画像形成領域Ｓにおいては、画面書込み走査に同期して、光照射領域と光非照射領域とが順次スクロールされるようになる。
【００５４】
このように、実施形態１に係るプロジェクタ１０００は、モード選択装置、遮光部材７１０及び回転プリズム７７０を備えているため、モード選択装置で尾引き緩和モードが選択されたときには、照明光束の光路に遮光部材７１０が挿入されるとともに、回転プリズム７７０が所定の動作をするようになる。このため、実施形態１に係るプロジェクタ１０００によれば、液晶装置４００Ｒ，４００Ｇ，４００Ｂの画像形成領域Ｓにおけるｘ軸方向については画像形成領域Ｓの全体を、ｙ軸方向については画像形成領域Ｓの一部を照明するような断面形状（すなわちｙ軸方向に圧縮された断面形状）を有する照明光束を、液晶装置４００Ｒ，４００Ｇ，４００Ｂの画面書込み周波数に同期して画像形成領域Ｓ上でｙ軸方向に沿って走査することができるようになるため、液晶装置４００Ｒ，４００Ｇ，４００Ｂの画像形成領域Ｓにおいては光照射領域と光非照射領域とが順次交互にスクロールされるようになる。その結果、尾引き現象が緩和され、滑らかで良質な動画表示が得られるプロジェクタとなる。
【００５５】
また、静止画を表示するときや動画表示の滑らかさよりも画面の明るさが優先されるようなとき、すなわちモード選択装置で通常モードが選択されたときには、遮光部材を光路外へと離脱させることにより、光利用効率を大幅に低下させずに明るい表示画面を得ることができる。
【００５６】
このため、実施形態１に係るプロジェクタ１０００は、滑らかで良質な動画表示が得られるとともに、静止画を表示するときや動画表示の滑らかさよりも画面の明るさが優先されるようなときにおいても、光利用効率が大幅に低下しないプロジェクタとなる。
【００５７】
実施形態１に係るプロジェクタ１０００においては、遮光部材７１０は、図１（ａ）及び図１（ｂ）に示すように、液晶装置４００Ｒ，４００Ｇ，４００Ｂの画像形成領域Ｓと光学的に略共役な位置に配置されているため、モード選択装置で尾引き緩和モードが選択されたときには、遮光部材７１０から射出される照明光束の断面形状を、上記したようなｙ軸方向に圧縮された断面形状に正しく整形することが可能になる。
【００５８】
実施形態１に係るプロジェクタ１０００においては、上記のような効果を奏する遮光部材７１０を、照明光束が色分離される前の、照明装置１００と回転プリズム７７０との間に配置することとしているため、液晶装置が複数存在するにもかかわらず１つの遮光部材７１０及び１つの回転プリズム７７０しか必要としなくても済み、プロジェクタの大型化を極力抑制することができるようになる。
【００５９】
実施形態１に係るプロジェクタ１０００においては、回転プリズム７７０は、図２（ｂ）に示すように、モード選択装置で通常モードが選択されたときに、光入射面が照明光軸に垂直な状態で静止するように構成されている。このため、静止画を表示するときや動画表示の滑らかさよりも画面の明るさが優先されるようなときには、液晶装置４００Ｒ，４００Ｇ，４００Ｂにおける画像形成領域Ｓの全面に照明光束を照射するとともに、回転プリズム７７０の光入射面が照明光軸１００ａｘに垂直な状態で静止させることにより、その光入射面で照明光束が不要な屈折を起こさなくなるため、迷光の発生を抑制し光利用効率を向上することができる。
【００６０】
実施形態１に係るプロジェクタ１０００においては、回転プリズム７７０の光透過面には減反射膜が形成されているため、回転プリズム７７０の光透過率を高めることができ、光利用効率の低下を最小限のものにすることができるとともに、迷光レベルが低減しコントラストが向上する。
【００６１】
以上、実施形態１に係るプロジェクタ１０００におけるモード選択装置、遮光部材７１０及び回転プリズム７７０について詳細に説明したが、実施形態１に係るプロジェクタ１０００においては以下のような特徴も有している。
【００６２】
実施形態１に係るプロジェクタ１０００においては、遮光装置７００は、第２の遮光部材７２０を有している。
【００６３】
第２の遮光部材７２０は、図２（ｃ）に示すように、不透明基材に「ｙ軸方向に沿った縦寸法：ｘ軸方向に沿った横寸法＝９：１６の長方形」の平面形状を有する開口部７２２を設けることにより形成されている。不透明基材としては、例えばアルミニウム合金からなる金属を好適に用いることができる。これにより、比較的簡単な方法で遮光部材７２０を製造することが可能となる。また、光が第２の遮光部材７２０の光透過領域を通過するときには空気層を通過することになるため、光透過率が向上して光利用効率の低下をさらに抑制することができるとともに、迷光レベルがさらに低減しコントラストがさらに向上する。
【００６４】
第２の遮光部材７２０は、照明装置１００からの照明光束を、液晶装置４００Ｒ，４００Ｇ，４００Ｂの画像形成領域Ｓにおけるｘ軸方向及びｙ軸方向のいずれの方向についても画像形成領域Ｓの全体を照明するような断面形状に整形する機能を有している。そして、第２の遮光部材７２０は、図１（ｂ）に示すように、モード選択装置で尾引き緩和モードが選択されたときには光路外へと離脱し、図２（ｂ）に示すように、モード選択装置で通常モードが選択されたときには照明装置１００と回転プリズム７７０との間の、液晶装置４００Ｒ，４００Ｇ，４００Ｂの画像形成領域Ｓと光学的に略共役な位置に挿入されるように構成されている。
【００６５】
例えばアーク長の比較的長い発光管（１．３ｍｍ以上）を用いた場合、モード選択装置で通常モードが選択されたときの照明装置からの照明光束は、液晶装置の画像形成領域におけるｘ軸方向及びｙ軸方向のいずれの方向についても画像形成領域の全体を照明するような断面形状を有する理想的な照明光束とはならず、実際には画像形成領域の周囲にもうっすらと光が照射されてしまうような照明光束となってしまう。このような画像形成領域の周囲に照射される光によって、液晶装置において不要な熱を発生させてしまったり迷光を発生させてしまったりする場合がある。
しかしながら、実施形態１に係るプロジェクタ１０００によれば、第２の遮光部材７２０をさらに備えているため、モード選択装置で通常モードが選択されたときには、照明装置１００からの照明光束を、液晶装置４００Ｒ，４００Ｇ，４００Ｂの画像形成領域Ｓにおけるｘ軸方向及びｙ軸方向のいずれの方向についても画像形成領域Ｓの全体を照明するような断面形状に整形することが可能となる。このため、画像形成領域Ｓの周囲に照射される光の発生を抑制することができ、液晶装置４００Ｒ，４００Ｇ，４００Ｂにおいて不要な熱を発生させてしまったり迷光を発生させてしまったりすることがなくなる。
【００６６】
また、実施形態１に係るプロジェクタ１０００においては、第２の遮光部材７２０は、図２（ｂ）に示すように、液晶装置４００Ｒ，４００Ｇ，４００Ｂの画像形成領域Ｓと光学的に略共役な位置に配置されているため、モード選択装置で通常モードが選択されたときには、第２の遮光部材７２０から射出される照明光束の断面形状を、上記したような画像形成領域Ｓの全体を照明するような断面形状に正しく整形することが可能になる。
【００６７】
実施形態１に係るプロジェクタ１０００においては、回転プリズム７７０の回転角を検出する回転状態検知センサ（図示せず。）をさらに備えているため、回転プリズム７７０を正しい回転速度及び位相で回転させることができるようになる。このため、滑らかで良質な動画表示が求められるときには、液晶装置４００Ｒ，４００Ｇ，４００Ｂの画面書込み周波数に同期して液晶装置４００Ｒ，４００Ｇ，４００Ｂの画像形成領域Ｓ上で照明光束の走査が良好に行われ、動画の画質を向上させることができる。また、静止画を表示するときや動画表示の滑らかさよりも画面の明るさが優先されるようなときには、回転プリズム７７０の光入射面が照明光軸１００ａｘに垂直になるような正確な角度位置で回転プリズム７７０を静止させることができるため、回転プリズム７７０の光透過面で照明光束が不要な屈折を起こすことがなくなり、迷光の発生を抑制し光利用効率を向上することができる。
【００６８】
実施形態１に係るプロジェクタ１０００においては、電気光学変調装置としての上記した３つの液晶装置４００Ｒ，４００Ｇ，４００Ｂと、回転プリズム７７０からの照明光束を赤色光、緑色光及び青色光に分離して各液晶装置４００Ｒ，４００Ｇ，４００Ｂに導くための色分離導光光学系２００と、液晶装置４００Ｒ，４００Ｇ，４００Ｂで変調されたそれぞれの色光を合成するクロスダイクロイックプリズム５００とをさらに備えている。
【００６９】
このため、実施形態１に係るプロジェクタ１０００によれば、滑らかで良質な動画表示が得られるとともに、静止画を表示するときや動画表示の滑らかさよりも画面の明るさが優先されるようなときにおいても、光利用効率が大幅に低下しないプロジェクタを、画像品質の優れた３板式のフルカラープロジェクタとすることができるようになる。
【００７０】
実施形態１に係るプロジェクタ１０００においては、光源装置１１０は、発光管１１２、発光管１１２からの光を反射する楕円面リフレクタ１１４及び楕円面リフレクタ１１４で反射される光を略平行光にする平行化レンズ１１８を有しているため、放物面リフレクタを用いた光源装置と比較して、よりコンパクトな光源装置を実現することができる。
【００７１】
実施形態１に係るプロジェクタ１０００においては、発光管１１２には、発光管１１２から被照明領域側に射出される光を発光管１１２に向けて反射する補助ミラー１１６が設けられている。
【００７２】
このため、実施形態１に係るプロジェクタ１０００によれば、発光管１１２から被照明領域側に放射される光は発光管１１２に向けて反射されるため、発光管１１２の被照明領域側端部を覆うような大きさに楕円面リフレクタ１１４の大きさを設定することを必要とせず、楕円面リフレクタ１１４の小型化を図ることができ、プロジェクタ１０００の小型化を図ることができる。また、このことは、第１レンズアレイ１２０や第２レンズアレイ１３０、偏光変換素子１４０、重畳レンズ１５０、色分離導光光学系２００の大きさなどをさらに小さくすることができることをも意味し、プロジェクタ１０００のさらなる小型化を図ることができる。
【００７３】
実施形態１に係るプロジェクタ１０００においては、照明装置１００は、光源装置１１０からの照明光束を略１種類の直線偏光に揃えて射出する偏光変換素子１４０を有しているため、偏光変換素子１４０の作用により、光源装置１１０からの照明光束を一方の偏光軸を有する略１種類の直線偏光に変換することができるようになるため、実施形態１に係るプロジェクタ１０００のように、電気光学変調装置として液晶装置等のように１種類の直線偏光を利用するタイプの電気光学変調装置を用いる場合に、光源装置１１０からの照明光束を有効に利用することができる。
【００７４】
〔実施形態２〕
図４は、実施形態２に係るプロジェクタ１００２を説明するために示す図である。図４（ａ）は尾引き緩和モードにおけるプロジェクタ１００２の光学系を側面から見た図であり、図４（ｂ）は通常モードにおけるプロジェクタ１００２の光学系を側面から見た図であり、図４（ｃ）は遮光装置７００Ｂの正面図である。
なお、図４（ａ）及び図４（ｂ）において、図１（ｂ）及び図２（ｂ）と同一の部材については同一の符号を付し、詳細な説明は省略する。
【００７５】
実施形態２に係るプロジェクタ１００２は、基本的には実施形態１に係るプロジェクタ１０００とよく似た構成を有しているが、図４（ａ）〜図４（ｃ）に示すように、実施形態１に係るプロジェクタ１０００とは、遮光部材及び第２の遮光部材の構成が異なっている。
すなわち、実施形態２に係るプロジェクタ１００２においては、遮光部材７１０と第２の遮光部材７２０とが一体化されている。
【００７６】
このように、実施形態２に係るプロジェクタ１００２は、実施形態１に係るプロジェクタ１０００とは、遮光部材及び第２の遮光部材の構成が異なるが、実施形態１に係るプロジェクタ１０００の場合と同様に、モード選択装置（図示せず。）、遮光部材７１０及び回転プリズム７７０を備えているため、滑らかで良質な動画表示が得られるとともに、静止画を表示するときや動画表示の滑らかさよりも画面の明るさが優先されるようなときにおいても、光利用効率が大幅に低下しないプロジェクタとなる。
【００７７】
実施形態２に係るプロジェクタ１００２においては、図４（ｃ）に示すように、遮光部材７１０と第２の遮光部材７２０とが一体化されているため、遮光部材７１０及び第２の遮光部材７２０をそれぞれ挿入・離脱するための装置が１つで済み、省スペース化が図れて装置の小型化を達成することができる。
【００７８】
なお、実施形態２に係るプロジェクタ１００２は、遮光部材及び第２の遮光部材の構成以外の点では、実施形態１に係るプロジェクタ１０００と同様の構成を有するため、実施形態１に係るプロジェクタ１０００の場合と同様の効果を有する。
【００７９】
〔実施形態３〕
図５は、実施形態３に係るプロジェクタ１００４を説明するために示す図である。図５（ａ）は尾引き緩和モードにおけるプロジェクタ１００４の光学系を側面から見た図であり、図５（ｂ）は通常モードにおけるプロジェクタ１００４の光学系を側面から見た図である。
なお、図５（ａ）及び図５（ｂ）において、図１（ｂ）及び図２（ｂ）と同一の部材については同一の符号を付し、詳細な説明は省略する。
【００８０】
実施形態３に係るプロジェクタ１００４は、基本的には実施形態１に係るプロジェクタ１０００とよく似た構成を有しているが、図５（ａ）及び図５（ｂ）に示すように、モード選択装置（図示せず。）で尾引き緩和モード及び通常モードのいずれのモードが選択された場合であっても第２の遮光部材が移動しない点で、実施形態１に係るプロジェクタ１０００とは異なっている。
【００８１】
すなわち、実施形態１に係るプロジェクタ１０００においては、上記したように、第２の遮光部材７２０は、モード選択装置で尾引き緩和モードが選択されたときには光路外へと離脱し、モード選択装置で通常モードが選択されたときには照明装置１００と回転プリズム７７０との間の、液晶装置４００Ｒ，４００Ｇ，４００Ｂの画像形成領域Ｓと光学的に略共役な位置に挿入されるように構成されている（図１（ｂ）及び図２（ｂ）参照。）。
これに対して、実施形態３に係るプロジェクタ１００４においては、第２の遮光部材７２０は、図５（ａ）及び図５（ｂ）に示すように、モード選択装置（図示せず。）で尾引き緩和モード及び通常モードのいずれのモードが選択された場合であっても、照明装置１００と回転プリズム７７０との間の、液晶装置４００Ｒ，４００Ｇ，４００Ｂの画像形成領域Ｓと光学的に略共役な位置に配置されている。
【００８２】
実施形態３に係るプロジェクタ１００４においては、第２の遮光部材７２０は、実施形態１で説明した第２の遮光部材７２０と同様に、照明装置１００からの照明光束を、液晶装置４００Ｒ，４００Ｇ，４００Ｂの画像形成領域Ｓにおけるｘ軸方向及びｙ軸方向のいずれの方向についても画像形成領域Ｓの全体を照明するような断面形状に整形する機能を有している。
なお、第２の遮光部材７２０は、遮光部材７１０の光整形機能を妨げないような位置に配置されている。
【００８３】
このように、実施形態３に係るプロジェクタ１００４は、モード選択装置で尾引き緩和モード及び通常モードのいずれのモードが選択された場合であっても第２の遮光部材が移動しない点で、実施形態１に係るプロジェクタ１０００とは異なるが、実施形態１に係るプロジェクタ１０００の場合と同様に、モード選択装置、遮光部材７１０及び回転プリズム７７０を備えているため、滑らかで良質な動画表示が得られるとともに、静止画を表示するときや動画表示の滑らかさよりも画面の明るさが優先されるようなときにおいても、光利用効率が大幅に低下しないプロジェクタとなる。
【００８４】
実施形態３に係るプロジェクタ１００４においては、第２の遮光部材７２０は、モード選択装置で尾引き緩和モード及び通常モードのいずれのモードが選択された場合であっても、照明装置１００と回転プリズム７７０との間に配置されている。このため、実施形態１で説明した第２の遮光部材７２０の場合のように、モード選択装置で尾引き緩和モードが選択されたときには光路外へと離脱し、モード選択装置で通常モードが選択されたときには照明装置１００と回転プリズム７７０との間に挿入されるように構成した場合と比較して、第２の遮光部材７２０を離脱させるための複雑な機構が不要であるため、製造コストの低廉化を図ることができるとともに、省スペース化が図れて装置の小型化を達成することができる。
【００８５】
なお、実施形態３に係るプロジェクタ１００４は、上記したように第２の遮光部材が移動しない点以外の点では、実施形態１に係るプロジェクタ１０００と同様の構成を有するため、実施形態１に係るプロジェクタ１０００の場合と同様の効果を有する。
【００８６】
〔実施形態４〕
図６は、実施形態４に係るプロジェクタ１００６を説明するために示す図である。図６（ａ）は尾引き緩和モードにおけるプロジェクタ１００６の光学系を上面から見た図であり、図６（ｂ）は通常モードにおけるプロジェクタ１００６の光学系を側面から見た図である。
なお、図６において、図１（ａ）及び図２（ｂ）と同一の部材については同一の符号を付し、詳細な説明は省略する。
【００８７】
図７は、第３の遮光部材７３０を説明するために示す図である。図７（ａ）は尾引き緩和モードにおける第３の遮光部材７３０の正面図であり、図７（ｂ）は図７（ａ）のＡ１−Ａ１断面図であり、図７（ｃ）は尾引き緩和モードにおける第３の遮光部材７３０の背面図（回転プリズム７７０側から見た図）であり、図７（ｄ）は通常モードにおける第３の遮光部材７３０の正面図であり、図７（ｅ）は図７（ｄ）のＡ２−Ａ２断面図であり、図７（ｆ）は通常モードにおける第３の遮光部材７３０の背面図（回転プリズム７７０側から見た図）である。
【００８８】
実施形態４に係るプロジェクタ１００６は、基本的には実施形態１に係るプロジェクタ１０００とよく似た構成を有しているが、図６及び図７に示すように、実施形態１に係るプロジェクタ１０００とは、遮光装置の構成が異なっている。以下、実施形態４に係るプロジェクタ１００６における遮光装置７００Ｄの構成について詳細に説明する。
【００８９】
実施形態４に係るプロジェクタ１００６においては、遮光装置７００Ｄの構成は、実施形態１における遮光装置７００の構成とは異なっている。すなわち、遮光装置７００Ｄは、図６及び図７に示すように、遮光部材７１０及び第２の遮光部材７２０に代えて、第３の遮光部材７３０を有している。
【００９０】
第３の遮光部材７３０は、照明装置１００と回転プリズム７７０との間の、液晶装置４００Ｒ，４００Ｇ，４００Ｂの画像形成領域Ｓと光学的に略共役な位置に配置されている。
【００９１】
第３の遮光部材７３０は、図７に示すように、中央部に開口部７３２が形成された板状部材７３４と、開口部７３２の上下に設けられた一対のスライド部材７３６，７３７と、スライド部材７３６，７３７を上下動させるためのスライド部材駆動機構７３８とを有している。
【００９２】
板状部材７３４は、例えばアルミニウム合金からなる金属を好適に用いることができる。板状部材７３４の開口部７３２は、「ｙ軸方向に沿った縦寸法：ｘ軸方向に沿った横寸法＝９：１６の長方形」の平面形状を有している。
スライド部材７３６，７３７は、板状部材７３４と同一の部材からなる。
【００９３】
スライド部材駆動機構７３８は、モード選択装置（図示せず。）で尾引き緩和モード又は通常モードのいずれかが選択されるのに合わせて、スライド部材７３６，７３７を同期して上下動させる機能を有している。スライド部材駆動機構７３８には、図示しないモータが配設されている。
【００９４】
上記のように構成された第３の遮光部材７３０は、モード選択装置で尾引き緩和モードが選択されたときには、図７（ａ）に示すように、照明装置１００からの照明光束を、液晶装置４００Ｒ，４００Ｇ，４００Ｂの画像形成領域Ｓにおけるｘ軸方向については画像形成領域Ｓの全体を、ｙ軸方向については画像形成領域Ｓの一部を照明するような、ｙ軸方向に圧縮された断面形状に整形するように、開口部７３２の形状が変形し、モード選択装置で通常モードが選択されたときには、図７（ｄ）に示すように、照明装置１００からの照明光束を、液晶装置４００Ｒ，４００Ｇ，４００Ｂの画像形成領域Ｓにおけるｘ軸方向及びｙ軸方向のいずれの方向についても画像形成領域Ｓの全体を照明するような断面形状に整形するように、開口部７３２の形状が変化する機能を有している。
【００９５】
このように、実施形態４に係るプロジェクタ１００６は、実施形態１に係るプロジェクタ１０００とは、遮光装置の構成が異なるが、実施形態１に係るプロジェクタ１０００の場合と同様の機能を有するモード選択装置と、上記した第３の遮光部材７３０とを備えている。
【００９６】
このため、実施形態４に係るプロジェクタ１００６によれば、モード選択装置で尾引き緩和モードが選択されたときには、第３の遮光部材７３０における開口部７３２の形状を、液晶装置４００Ｒ，４００Ｇ，４００Ｂの画像形成領域Ｓにおけるｘ軸方向については画像形成領域Ｓの全体を、ｙ軸方向については画像形成領域Ｓの一部を照明するような断面形状（すなわちｙ軸方向に圧縮された断面形状）に整形するような形状に変化させるとともに、回転プリズム７７０に所定の動作をさせることにより、ｙ軸方向に圧縮された断面形状を有する照明光束を液晶装置４００Ｒ，４００Ｇ，４００Ｂの画面書込み周波数に同期して画像形成領域Ｓ上でｙ軸方向に沿って走査することができるようになる。このため、液晶装置４００Ｒ，４００Ｇ，４００Ｂの画像形成領域Ｓにおいては光照射領域と光非照射領域とが順次交互にスクロールされるようになる。その結果、尾引き現象が緩和され、滑らかで良質な動画表示が得られるプロジェクタとなる。
【００９７】
また、モード選択装置で通常モードが選択されたとき、すなわち静止画を表示するときや動画表示の滑らかさよりも画面の明るさが優先されるようなときには、第３の遮光部材７３０における開口部７３２の形状を、液晶装置４００Ｒ，４００Ｇ，４００Ｂの画像形成領域Ｓにおけるｘ軸方向及びｙ軸方向のいずれの方向についても画像形成領域Ｓの全体を照明するような断面形状に整形するように変化させることにより、光利用効率を大幅に低下させずに明るい表示画面を得ることができる。
【００９８】
このため、実施形態４に係るプロジェクタ１００６は、実施形態１に係るプロジェクタ１０００の場合と同様に、滑らかで良質な動画表示が得られるとともに、静止画を表示するときや動画表示の滑らかさよりも画面の明るさが優先されるようなときにおいても、光利用効率が大幅に低下しないプロジェクタとなる。
【００９９】
なお、実施形態４に係るプロジェクタ１００６は、遮光装置の構成以外の点では、実施形態１に係るプロジェクタ１０００と同様の構成を有するため、実施形態１に係るプロジェクタ１０００の場合と同様の効果を有する。
【０１００】
〔実施形態５〕
図８は、実施形態５に係るプロジェクタ１００８を説明するために示す図である。図８（ａ）は尾引き緩和モードにおけるプロジェクタ１００８の光学系を上面から見た図であり、図８（ｂ）は尾引き緩和モードにおけるプロジェクタ１００８の光学系を側面から見た図であり、図８（ｃ）は通常モードにおけるプロジェクタ１００８の光学系を上面から見た図であり、図８（ｄ）は通常モードにおけるプロジェクタ１００８の光学系を側面から見た図である。
なお、図８（ｃ）においては、回転プリズム７７０以降の光学系については図８（ａ）と同じであるため、図示を省略している。
【０１０１】
実施形態５に係るプロジェクタ１００８は、基本的には実施形態１に係るプロジェクタ１０００とよく似た構成を有しているが、図８に示すように、実施形態１に係るプロジェクタ１０００とは、色分離導光光学系の構成が異なっている。
すなわち、実施形態５に係るプロジェクタ１００８においては、色分離導光光学系２０２として、各液晶装置４００Ｒ，４００Ｇ，４００Ｂ上で光照射領域と光非照射領域とがスクロールされる方向をすべて同一の方向とするために、ダブルリレー光学系１９０を用いている。
【０１０２】
色分離導光光学系２０２は、図８（ａ）に示すように、ダイクロイックミラー２６０，２６２と、反射ミラー２６４と、ダブルリレー光学系１９０とを有している。ダブルリレー光学系１９０は、リレーレンズ１９１，１９２，１９４，１９５，１９７と、反射ミラー１９３，１９６と、フィールドレンズ１９８とを有している。また、色分離導光光学系２０２の光路前段には、リレーレンズ７９４が配置されている。
【０１０３】
ダイクロイックミラー２６０は、回転プリズム７７０から射出される光のうち赤色光成分を反射するとともに、緑色光成分及び青色光成分を透過させる。ダイクロイックミラー２６０で反射された赤色光成分は、反射ミラー２６４で反射されて、フィールドレンズ１７６Ｒを通過して赤色光用の液晶装置４００Ｒに達する。
ダイクロイックミラー２６０を透過した緑色光成分及び青色光成分のうち緑色光成分は、ダイクロイックミラー２６２によって反射され、フィールドレンズ１７６Ｇを通過して緑色光用の液晶装置４００Ｇに達する。一方、ダイクロイックミラー２６０を透過した青色光成分は、ダイクロイックミラー２６２を透過し、ダブルリレー光学系１９０を通過して青色光用の液晶装置４００Ｂに達する。液晶装置４００Ｒ，４００Ｇ，４００Ｂの各色光の光路前段に設けられたフィールドレンズ１７６Ｒ，１７６Ｇ，１９８は、第２レンズアレイ１３０から射出された各部分光束を、各主光線に対して略平行な光束に変換するために設けられている。
【０１０４】
ここで、青色光の光路にダブルリレー光学系１９０が設けられているのは、青色光の光路の長さが、他の色光の光路の長さよりも長いため、光の発散等による光利用効率の低下を防止するとともに、各液晶装置４００Ｒ，４００Ｇ，４００Ｂ上で光照射領域と光非照射領域とがスクロールされる方向をすべて同一の方向とするために設けられている。なお、実施形態５に係るプロジェクタ１００８においては、３つの色光のうち青色光の光路にダブルリレー光学系１９０を用いた構成としたが、赤色光等のその他の色光の光路にこのようなダブルリレー光学系を用いた構成としてもよい。
【０１０５】
このように、実施形態５に係るプロジェクタ１００８は、実施形態１に係るプロジェクタ１０００とは、色分離導光光学系の構成が異なるが、実施形態１に係るプロジェクタ１０００の場合と同様に、モード選択装置（図示せず。）、遮光部材７１０及び回転プリズム７７０を備えているため、滑らかで良質な動画表示が得られるとともに、静止画を表示するときや動画表示の滑らかさよりも画面の明るさが優先されるようなときにおいても、光利用効率が大幅に低下しないプロジェクタとなる。
【０１０６】
なお、実施形態５に係るプロジェクタ１００８は、色分離導光光学系の構成以外の点では、実施形態１に係るプロジェクタ１０００と同様の構成を有するため、実施形態１に係るプロジェクタ１０００の場合と同様の効果を有する。
【０１０７】
〔実施形態６〕
図９は、実施形態６に係るプロジェクタ１０１０を説明するために示す図である。図９（ａ）は尾引き緩和モードにおけるプロジェクタ１０１０の光学系を上面から見た図であり、図９（ｂ）は尾引き緩和モードにおけるプロジェクタ１０１０の光学系を側面から見た図であり、図９（ｃ）は通常モードにおけるプロジェクタ１０１０の光学系を上面から見た図であり、図９（ｄ）は通常モードにおけるプロジェクタ１０１０の光学系を側面から見た図である。
なお、図９（ｃ）においては、回転プリズム７７０以降の光学系については図９（ａ）と同じであるため、図示を省略している。
【０１０８】
実施形態６に係るプロジェクタ１０１０は、基本的には実施形態１に係るプロジェクタ１０００とよく似た構成を有しているが、図９に示すように、実施形態１に係るプロジェクタ１０００とは、照明装置の構成が異なっている。
すなわち、実施形態６に係るプロジェクタ１０１０においては、照明装置１００Ｂとして、ロッドインテグレータ光学系を用いている。
【０１０９】
照明装置１００Ｂは、図９（ａ）〜図９（ｄ）に示すように、被照明領域側に集束性の照明光束を射出する光源装置１１０Ｂと、光源装置１１０Ｂからの照明光束を略１種類の直線偏光に揃えるとともに、より均一な強度分布を有する照明光束に変換するＰＢＳロッド複合体１６０と、リレーレンズ１６６とを有している。
【０１１０】
ＰＢＳロッド複合体１６０は、光源装置１１０Ｂから射出される偏光方向の揃っていない照明光束を略１種類の直線偏光に揃える偏光変換素子としてのＰＢＳ１６２と、ＰＢＳ１６２からの照明光束をより均一な強度分布を有する照明光束に変換し、被照明領域を均一な照度で照明するインテグレータロッド１６４とを有している。ＰＢＳ１６２は、光源装置１１０Ｂからの照明光束に含まれる偏光成分のうち一方の直線偏光成分をそのまま透過し、他方の直線偏光成分を照明光軸１００Ｂａｘに垂直な方向に反射する偏光分離層と、偏光分離層で反射された他方の直線偏光成分を照明光軸１００Ｂａｘに平行な方向に反射する反射層と、偏光分離層を透過した一方の直線偏光成分と反射層で反射された他方の直線偏光成分とのうちいずれか一方の直線偏光成分に揃えるように偏光変換する位相差板とを有している。
インテグレータロッド１６４の光射出面は、縦方向（ｙ軸方向）に圧縮された「ｙ軸方向に沿った縦寸法：ｘ軸方向に沿った横寸法＝９：１６の長方形」の平面形状を有している。
【０１１１】
このように、実施形態６に係るプロジェクタ１０１０は、実施形態１に係るプロジェクタ１０００とは、照明装置の構成が異なるが、実施形態１に係るプロジェクタ１０００の場合と同様に、モード選択装置（図示せず。）、遮光部材７１０及び回転プリズム７７０を備えているため、滑らかで良質な動画表示が得られるとともに、静止画を表示するときや動画表示の滑らかさよりも画面の明るさが優先されるようなときにおいても、光利用効率が大幅に低下しないプロジェクタとなる。
【０１１２】
なお、実施形態６に係るプロジェクタ１０１０は、照明装置の構成以外の点では、実施形態１に係るプロジェクタ１０００と同様の構成を有するため、実施形態１に係るプロジェクタ１０００の場合と同様の効果を有する。
【０１１３】
以上、本発明のプロジェクタを上記の各実施形態に基づいて説明したが、本発明は上記の各実施形態に限られるものではなく、その要旨を逸脱しない範囲において種々の態様において実施することが可能であり、例えば次のような変形も可能である。
【０１１４】
（１）上記実施形態１〜３、５及び６のプロジェクタ１０００〜１００４，１００８，１０１０は、遮光部材として、不透明基材に所定の開口部を設けることにより形成された遮光部材７１０を用いたが、本発明はこれに限定されるものではなく、例えば、透明基材に、所定パターンの開口部を有する光非透過部材を設けることにより形成された遮光部材を用いることができる。
この場合、光非透過部材は、金属膜又は誘電体多層膜からなることが好ましい。このように構成することにより、遮光部材の光非透過領域における光透過率を極めて低いものにするとともに耐光性の高いものにすることができる。
また、このような遮光部材における光透過領域には、減反射膜が形成されていることが好ましい。このように構成することにより、遮光部材の光透過領域における光透過率が向上するため、光利用効率の低下を抑制することができるとともに、迷光レベルが低減しコントラストが向上する。
【０１１５】
（２）上記各実施形態のプロジェクタ１０００〜１０１０は、液晶装置として、画像形成領域が「ｙ軸方向に沿った縦寸法：ｘ軸方向に沿った横寸法＝９：１６の長方形」の平面形状を有するワイドビジョン用の液晶装置を用いたが、本発明はこれに限定されるものではなく、例えば、「ｙ軸方向に沿った縦寸法：ｘ軸方向に沿った横寸法＝３：４の長方形」の平面形状を有する液晶装置等を用いることもできる。
この場合、上記実施形態１〜５のプロジェクタ１０００〜１００８のように、レンズインテグレータ光学系からなる照明装置１００を用いたときには、第１レンズアレイ１２０の各第１小レンズ１２２の平面形状が「ｙ軸方向に沿った縦寸法：ｘ軸方向に沿った横寸法＝９：１６の長方形」のものの代わりに、「ｙ軸方向に沿った縦寸法：ｘ軸方向に沿った横寸法＝３：４の長方形」のもの等を用いる。また、上記実施形態６のプロジェクタ１０１０のように、ロッドインテグレータ光学系からなる照明装置１００Ｂを用いたときには、インテグレータロッド１６４の光射出面の平面形状が「ｙ軸方向に沿った縦寸法：ｘ軸方向に沿った横寸法＝９：１６の長方形」のものの代わりに、「ｙ軸方向に沿った縦寸法：ｘ軸方向に沿った横寸法＝３：４の長方形」のもの等を用いる。
【０１１６】
（３）上記実施形態１〜５のプロジェクタ１０００〜１００８は、光源装置として、楕円面リフレクタ１１４と、楕円面リフレクタ１１４の第１焦点近傍に発光中心を有する発光管１１２と、平行化レンズ１１８とを有する光源装置１１０を用いたが、本発明はこれに限定されるものではなく、放物面リフレクタと、放物面リフレクタの焦点近傍に発光中心を有する発光管とを有する光源装置をも好ましく用いることができる。
【０１１７】
（４）上記各実施形態のプロジェクタ１０００〜１０１０は、光源装置として、発光管１１２に補助ミラー１１６が配設された光源装置１１０，１１０Ｂを用いたが、本発明はこれに限定されるものではなく、発光管に補助ミラーが配設されていない光源装置をも好ましく用いることができる。
【０１１８】
（５）上記各実施形態において、３つの液晶装置４００Ｒ，４００Ｇ，４００Ｂを用いたプロジェクタを例示して説明したが、本発明はこれに限定されるものではなく、１つ、２つ又は４つ以上の液晶装置を用いたプロジェクタにも適用可能である。
【０１１９】
（６）上記各実施形態のプロジェクタ１０００〜１０１０は、透過型の電気光学変調装置を用いた透過型のプロジェクタであるが、本発明はこれに限定されるものではなく、反射型の電気光学変調装置を用いた反射型のプロジェクタにも適用することが可能である。ここで、「透過型」とは、透過型の液晶装置等のように光変調手段としての電気光学変調装置が光を透過するタイプであることを意味しており、「反射型」とは、反射型液晶装置のように光変調手段としての電気光学変調装置が光を反射するタイプであることを意味している。反射型のプロジェクタにこの発明を適用した場合にも、透過型のプロジェクタと同様の効果を得ることができる。
【０１２０】
（７）上記各実施形態のプロジェクタ１０００〜１０１０は、電気光学変調装置として液晶装置を用いているが、本発明はこれに限定されるものではない。電気光学変調装置としては、一般に、画像情報に応じて入射光を変調するものであればよく、マイクロミラー型光変調装置などを利用してもよい。マイクロミラー型光変調装置としては、例えば、ＤＭＤ（デジタルマイクロミラーデバイス）（ＴＩ社の商標）を用いることができる。
【０１２１】
（８）本発明は、投写画像を観察する側から投写するフロント投写型プロジェクタに適用する場合にも、投写画像を観察する側とは反対の側から投写するリア投写型プロジェクタに適用する場合にも可能である。
【図面の簡単な説明】
【０１２２】
【図１】実施形態１に係るプロジェクタ１０００を説明するために示す図。
【図２】実施形態１に係るプロジェクタ１０００を説明するために示す図。
【図３】回転プリズム７７０の回転と液晶装置４００Ｒ，４００Ｇ，４００Ｂ上の照明状態との関係を示す図。
【図４】実施形態２に係るプロジェクタ１００２を説明するために示す図。
【図５】実施形態３に係るプロジェクタ１００４を説明するために示す図。
【図６】実施形態４に係るプロジェクタ１００６を説明するために示す図。
【図７】第３の遮光部材７３０を説明するために示す図。
【図８】実施形態５に係るプロジェクタ１００８を説明するために示す図。
【図９】実施形態６に係るプロジェクタ１０１０を説明するために示す図。
【符号の説明】
【０１２３】
１００，１００Ｂ…照明装置、１００ａｘ，１００Ｂａｘ…照明光軸、１１０，１１０Ｂ…光源装置、１１２…発光管、１１４…楕円面リフレクタ、１１６…補助ミラー、１１８…平行化レンズ、１２０…第１レンズアレイ、１２２…第１小レンズ、１３０…第２レンズアレイ、１４０…偏光変換素子、１５０…重畳レンズ、１６０…ＰＢＳロッド複合体、１６２…ＰＢＳ、１６４…インテグレータロッド、１６６，１７６Ｒ，１７６Ｇ，１９８，２４４，２４６，２４８，７９０，７９２…フィールドレンズ、１９０…ダブルリレー光学系、１９１，１９２，１９４，１９５，１９７，２４０，２４２，７９４…リレーレンズ、１９３，１９６，２１２，２１６，２１８，２２０，２２２，２６４，…反射ミラー、２００，２０２…色分離導光光学系、２１０，２１４，２６０，２６２…ダイクロイックミラー、４００Ｒ，４００Ｇ，４００Ｂ…液晶装置、５００…クロスダイクロイックプリズム、６００…投写光学系、７００，７００Ｂ，７００Ｃ，７００Ｄ…遮光装置、７１０…遮光部材、７１２…（遮光部材の）開口部、７２０…第２の遮光部材、７２２…（第２の遮光部材の）開口部、７３０…第３の遮光部材、７３２…（第３の遮光部材の）開口部、７３４…板状部材、７３６，７３７…スライド部材、７３８…スライド部材駆動機構、７７０…回転プリズム、７７２…回転軸、１０００，１００２，１００４，１００６，１００８，１０１０…プロジェクタ、Ｌ…照明光束が照射される領域、Ｐ…照明光軸上における第１小レンズ又はインテグレータロッドの光射出面の仮想中心点の像、Ｓ…画像形成領域、ＳＣＲ…スクリーン
【図４】
2006301160.tif 000003
【図５】
2006301160.tif 000004
【図６】
2006301160.tif 000005
【図７】
2006301160.tif 000006
【図８】
2006301160.tif 000007
【図９】
2006301160.tif 000008
【図１】
2006301160.tif 000009
【図２】
2006301160.tif 000010
【図３】
2006301160.tif 000011